(57)【要約】  本発明によるマウスは、コンピューターのポインターを移動するマウスにおいて、内部に収容部が形成されるハウジングと、前記の収容部に実装されるマウス本体と、前記の収容部の内側壁面に位して、前記のマウス本体によって加圧された時に前記のマウス本体の動きを検出してポインターを移動させる感知手段と、を備える。本発明によるマウスを利用すれば、マウスを移動させないながらもポインターを移動させることができてポインターの移動のためのマウスの移動空間が要しなくて使用が便利であり、マウスの移動が必要なくて使用者の手首の疲れ度を減少させて痛症を防止することができるという効果がある。【選択図】          図１
2010526387.tif 000002
【特許請求の範囲】
【請求項１】
コンピューターのポインターを移動するマウスにおいて、
内部に収容部（１１０）が形成されるハウジング（１００）と、
前記の収容部（１１０）に実装されるマウス本体（２００）と、
前記の収容部（１１０）の内側壁面に位して、前記のマウス本体（２００）によって加圧された時に前記のマウス本体（２００）の動きを検出してポインターを移動させる感知手段（３１０）と、
を備えることを特徴とするマウス。
【請求項２】
前記の感知手段（３１０）は、前記の収容部（１１０）の内側壁面に附着する圧力センサーで構成されることを特徴とする請求項１に記載のマウス。
【請求項３】
前記の感知手段（３１０）は、前記の収容部（１１０）の内側壁面に一定間隔で設置される複数の加圧スイッチで構成されることを特徴とする請求項１に記載のマウス。
【請求項４】
前記のマウス本体（２００）と前記の感知手段（３１０）が離隔されるように前記のマウス本体（２００）を前記の収容部（１１０）の中央に位置させる弾性手段（４００）を備えることを特徴とする請求項１に記載のマウス。
【請求項５】
前記の弾性手段（４００）は、
前記の収容部（１１０）の底面に形成される空間部に挿入される円形の下端（４１１）と、前記の収容部（１１０）側に突き出されて前記のマウス本体（２００）に繋がれる上端（４１２）に構成される作動具（４１０）と、
前記の作動具（４１０）の下端に密着されて結合される多数の加圧部材（４２０）と、
前記の加圧部材（４２０）を作動具（４１０）の方向に弾性力を印加するスプリング（４３０）で構成されることを特徴とする請求項４に記載のマウス。
【請求項６】
前記の加圧部材（４２０）は前記の作動具（４１０）の下端（４１１）を中心に９０度間隔で設置されて、前記の９０度間隔で設置される加圧部材（４２０）に設置されるそれぞれのスプリング（４３０）は引張り方向に等しい弾性力を持つことを特徴とする請求項５に記載のマウス。
【請求項７】
前記の弾性手段（４００）は、下端は前記の収容部（１１０）の中央に固定設置されて、上端は前記のマウス本体（２００）に固定される弾性バーで構成されることを特徴とする請求項４に記載のマウス。
【請求項８】
前記のマウス本体（２００）にはポインターの移動速度を調整する速度調整スイッチ（２０４）を備えることを特徴とする請求項１に記載のマウス。
【請求項９】
前記のハウジング（１００）の下端にゴム吸着器（１０１）をさらに備えることを特徴とする請求項１に記載のマウス。
【請求項１０】
前記のハウジング（１００）には手首枕（１０２）をさらに備えることを特徴とする請求項１に記載のマウス。
【請求項１１】
前記のハウジング（１００）はキーボード（Ｂ）に固定されることを特徴とする請求項１に記載のマウス。
【請求項１２】
前記のハウジング（１００）はノート・パソコン（Ｃ）に固定されることを特徴とする請求項１に記載のマウス。
【請求項１３】
内部に収容部（１１０）が形成されるハウジング（１００）と、
着脱ができる構造に前記の収容部（１１０）に実装されるマウス本体（２００）と、
前記の収容部（１１０）の内側壁面に位して前記のマウス本体（２００）が加圧された時に前記のマウス本体（２００）の動きを検出してポインターの移動信号を発生させる感知手段（３１０）と、
を備えて、
前記のマウス本体（２００）の底面には前記のマウス本体（２００）が前記のハウジング（１００）から分離した時に前記のマウス本体（２００）の動きを検出してポインターの移動信号を発生させる移動感知手段（２２０）を備えることを特徴とするマウス。
【請求項１４】
ポインターの移動信号を伝達する信号伝達ケーブル（５００）をさらに備え、
前記の信号伝達ケーブル（５００）は、前記のマウス本体（２００）が前記のハウジング（１００）に装着された時には前記のハウジング（１００）に結合されて前記の感知手段（３１０）から発生されるポインターの移動信号を伝達して、前記のマウス本体（２００）が前記のハウジング（１００）から分離した時には前記のマウス本体（２００）に結合されて前記の移動感知手段（２２０）から発生されるポインターの移動信号を伝達することを特徴とする請求項１３に記載のマウス。
【請求項１５】
前記のマウス本体（２００）に結合されてポインターの移動信号を伝達する信号伝達ケーブル（５００）をさらに備え、
前記の信号伝達ケーブル（５００）は、前記のマウス本体（２００）が前記のハウジング（１００）に装着された時には前記の感知手段（３１０）から発生されるポインターの移動信号を伝達して、前記のマウス本体（２００）が前記のハウジング（１００）から分離した時には前記の移動感知手段（２２０）から発生されるポインターの移動信号を伝達することを特徴とする請求項１３に記載のマウス。
【請求項１６】
前記の感知手段（３１０）と移動感知手段（２２０）は無線でポインターの移動信号を送るように構成されて、
前記の本体には前記の移動感知手段（２２０）の動作をオン/オフさせるためのモード転換スイッチ（６００）を備えることを特徴とする請求項１３に記載のマウス。
【請求項１７】
内部に収容部（１１０）が形成されるハウジング（１００）と、
着脱ができる構造に前記の収容部（１１０）に実装されるマウス本体（２００）と、
前記の収容部（１１０）の内側壁面に位して前記のマウス本体（２００）が接触された時に前記のマウス本体（２００）の動きを検出してポインターの移動信号を発生させる感知手段（３１０）と、
を備えて、
前記のハウジング（１００）の底面には前記のハウジング（１００）の動きを検出してポインターの移動信号を発生させる移動感知手段（２２０）を備えることを特徴とするマウス。
【請求項１８】
前記の収容部（１１０）の底面と前記のマウス本体（２００）の底面には相互引力を発生させる一対の磁性体（４４０）をお互いに見合わせるようにそれぞれ備えることを特徴とする請求項１３ないし請求項１７のいずれか一項に記載のマウス。
【請求項１９】
前記の収容部（１１０）の内壁には前記のマウス本体（２００）に向けて突き出される弾性部材（４５０）を備えて、
前記のマウス本体（２００）は前記の弾性部材（４５０）の端が挿入される凹入溝を形成することを特徴とする請求項１３ないし請求項１７のいずれか一項に記載のマウス。
【請求項２０】
前記の弾性部材（４５０）は前記の収容部（１１０）の内壁全周にかけて形成されることを特徴とする請求項１９に記載のマウス。
【請求項２１】
側方向に印加される接触圧力を感知してポインターの移動信号を発生させる感知手段（３１０）を上面に備えるハウジング（１００）と、
前記の感知手段（３１０）が内部に引入される収容溝（３２０）が底面に形成されて前記のハウジング（１００）の上面に実装されるマウス本体（２００）と、
を備えて、
前記のマウス本体（２００）の底面には前記のマウス本体（２００）が前記のハウジング（１００）から分離した時に前記のマウス本体（２００）の動きを検出してポインターの移動信号を発生させる移動感知手段（２２０）を備えることを特徴とするマウス。
【請求項２２】
ポインターの移動信号を伝達する信号伝達ケーブル（５００）をさらに備え、
前記の信号伝達ケーブル（５００）は、前記のマウス本体（２００）が前記のハウジング（１００）に装着された時には前記のハウジング（１００）に結合されて前記の感知手段（３１０）から発生されるポインターの移動信号を伝達して、前記のマウス本体（２００）が前記のハウジング（１００）から分離した時には前記のマウス本体（２００）に結合されて前記の移動感知手段（２２０）から発生されるポインターの移動信号を伝達することを特徴とする請求項２１に記載のマウス。
【請求項２３】
前記のマウス本体（２００）に結合されてポインターの移動信号を伝達する信号伝達ケーブル（５００）をさらに備え、
前記の信号伝達ケーブル（５００）は、前記のマウス本体（２００）が前記のハウジング（１００）に装着された時には前記の感知手段（３１０）から発生されるポインターの移動信号を伝達して、前記のマウス本体（２００）が前記のハウジング（１００）から分離した時には前記の移動感知手段（２２０）から発生されるポインターの移動信号を伝達することを特徴とする請求項２１に記載のマウス。
【請求項２４】
前記の感知手段（３１０）と移動感知手段（２２０）は無線でポインターの移動信号を送るように構成されて、
前記の本体には前記の移動感知手段（２２０）の動作をオン/オフさせるためのモード転換スイッチ（６００）を備えることを特徴とする請求項２１に記載のマウス。
【請求項２５】
側方向に印加される接触圧力を感知してポインターの移動信号を発生させる感知手段（３１０）を底面に備えるマウス本体（２００）と、
前記の感知手段（３１０）が内部に引入される収容溝（３２０）が上面に形成されて前記のマウス本体（２００）が上面に実装されるハウジング（１００）と、
を備えて、
前記のハウジング（１００）の底面には前記のハウジング（１００）の動きを検出してポインターの移動信号を発生させる移動感知手段（２２０）を備えることを特徴とするマウス。
【請求項２６】
一端が前記の収容溝（３２０）に固定結合されて、前記のマウス本体（２００）が前記のハウジング（１００）の上面に実装された時他端が前記の感知手段（３１０）に挿入されて、外力が印加されない限り前記の感知手段（３１０）を前記の収容溝（３２０）の中心部に位置させる弾性手段（４００）をさらに備えることを特徴とする請求項２１ないし請求項２５のいずれか一項に記載のマウス。
【請求項２７】
前記の感知手段（３１０）は円柱形象で形成されて、前記の収容溝（３２０）は円形溝形象で形成されることを特徴とする請求項２１ないし請求項２５のいずれか一項に記載のマウス。
【請求項２８】
前記の収容溝（３２０）の内側の端面中心部と前記の感知手段（３１０）の端中心部には相互引力を発生させる一対の磁性体をお互いに見合わせるようにそれぞれ備えることを特徴とする請求項２１ないし請求項２５のいずれか一項に記載のマウス。
【請求項２９】
前記の収容溝（３２０）の内壁には前記の感知手段（３１０）を向けて突き出される弾性部材を備えて、
前記の感知手段（３１０）の側面には前記の弾性部材の端が挿入されることを特徴とする請求項２１ないし請求項２５のいずれか一項に記載のマウス。
【請求項３０】
前記の弾性部材は前記の収容溝（３２０）の内壁全周にかけて形成されることを特徴とする請求項２９に記載のマウス。
【請求項３１】
前記のマウス本体（２００）を前記のハウジング（１００）に固定させる固定手段（７００）をさらに備えることを特徴とする請求項１７または請求項２５に記載のマウス。
【請求項３２】
前記の固定手段（７００）は、スライディングできる構造に前記のマウス本体（２００）に結合されて、１回押された時端が前記のハウジング（１００）に挿入されて前記のマウス本体（２００）とハウジング（１００）を結合させて、もう一度押された時端が前記のハウジング（１００）から引き出しされて前記のマウス本体（２００）とハウジング（１００）の結合を解除させるように構成されることを特徴とする請求項３１に記載のマウス。
【請求項３３】
前記の固定手段（７００）が前記のマウス本体（２００）を前記のハウジング（１００）に固定させれば前記の移動感知手段（２２０）が活性化になって前記の感知手段（３１０）が非活性化されて、前記の固定手段（７００）が前記のマウス本体（２００）の固定を解除させれば前記の感知手段（３１０）が活性化になって前記の移動感知手段（２２０）が非活性化されることを特徴とする請求項３１に記載のマウス。
【請求項３４】
地面に安着されるハウジング（１００）と、
前記のハウジング（１００）の外側面に据え置きされるマウス本体（２００）と、
を備えて、
前記のハウジング（１００）とマウス本体（２００）中のどれか一つには感知手段（３１０）を突き出されるように備えて、前記のハウジング（１００）とマウス本体（２００）中の他の一つには前記の感知手段（３１０）が引入される収容溝（３２０）が形成されて、前記の感知手段（３１０）は前記の収容溝（３２０）の内壁との接触圧力を感知してポインターの移動信号を発生させるように構成されることを特徴とするマウス。
【請求項３５】
前記の感知手段（３１０）と収容溝（３２０）は円筒形象で形成されることを特徴とする請求項３４に記載のマウス。
【請求項３６】
前記のマウス本体（２００）に別途の外力が印加されない限り前記の感知手段（３１０）が加圧されないように、前記の収容溝（３２０）の内壁には前記の感知手段（３１０）に向けて突き出される弾性手段（４００）を備えることを特徴とする請求項３４に記載のマウス。
【請求項３７】
前記の感知手段（３１０）の外側面には前記の弾性手段（４００）の端が挿入される凹入溝が形成されることを特徴とする請求項３６に記載のマウス。
【請求項３８】
前記の弾性手段（４００）は前記の収容溝（３２０）の内壁全周にかけて形成されることを特徴とする請求項３６に記載のマウス。
【請求項３９】
前記の感知手段（３１０）は前記の収容溝（３２０）の内壁との接触圧力の大きさによってポインターの移動速度が変更されることができるようにポインターの移動信号を発生させることを特徴とする請求項３４に記載のマウス。
【請求項４０】
地面に安着されるハウジング（１００）と、
前記のハウジング（１００）の外側面に据え置きされるマウス本体（２００）と、
を備えて、
前記のハウジング（１００）とマウス本体（２００）中のどれか一つには突出バー（３３０）を備えて、前記のハウジング（１００）とマウス本体（２００）中の他の一つには前記の突出バー（３３０）が引入される収容溝（３２０）が形成されて、突出バー（３３０）と収容溝（３２０）の間の接触圧力を感知してポインターの移動信号を発生させる感知手段（３１０）を前記の突出バー（３３０）の外側面または収容溝（３２０）の内側面に備えることを特徴とするマウス。
【請求項４１】
前記の突出バー（３３０）と収容溝（３２０）は円筒形象で形成されることを特徴とする請求項４０に記載のマウス。
【請求項４２】
前記のマウス本体（２００）に別途の外力が印加されない限り前記の感知手段（３１０）が加圧されないように、前記の収容溝（３２０）の内壁には前記の突出バー（３３０）に向けて突き出される弾性手段（４００）を備えることを特徴とする請求項４０に記載のマウス。
【請求項４３】
前記の突出バー（３３０）の外側面には前記の弾性手段（４００）の端が挿入される凹入溝が形成されることを特徴とする請求項４２に記載のマウス。
【請求項４４】
前記の弾性手段（４００）は前記の収容溝（３２０）の内壁全周にかけて形成されることを特徴とする請求項４２に記載のマウス。
【請求項４５】
前記の感知手段（３１０）は前記の収容溝（３２０）の内壁または突出バー（３３０）の外側面との接触圧力の大きさによってポインターの移動速度が変更されることができるようにポインターの移動信号を発生させることを特徴とする請求項４０に記載のマウス。
【請求項４６】
ポインターの移動速度を調節するための速度調整スイッチ（２０４）を前記のハウジング（１００）またはマウス本体（２００）に備えることを特徴とする請求項３４ないし請求項４５のいずれか一項に記載のマウス。
【請求項４７】
前記のマウス本体（２００）は底面が前記のハウジング（１００）の上面と対応されるステッキ形象で形成されることを特徴とする請求項３４ないし請求項４５のいずれか一項に記載のマウス。
【発明の詳細な説明】
【技術分野】
【０００１】
本発明はパーソナルコンピューターなどの通信機器に使われるマウスに関することで、もっと詳しくはマウスを大きく移動させないながらもポインターを持続的に移動させることができてポインターの移動のためのマウスの移動空間が要しなくて使用が便利であり、使用者の便宜によって通常のマウスのように使うことができるように構成されるマウスに関するのである。
【背景技術】
【０００２】
通常のマウス装置は機械式、光学式、光・機械式等に仕分けされる。前記の機械式マウス装置の場合には下端に位するボールの動きを検出してそれに対応するようにポインターを動かすのである。そして、光学式マウス装置は格子柄のパッド上で光学的マウス装置が動きによって前記の光学式マウス装置の下端に位するポートセンサーが前記の格子柄の変化を感知することで光学式マウス装置の動きを検出してそれに対応するようにポインターを動かすのである。また、前記の光・機械マウス装置はスリットを持つホイールの動きをポートセンサーが感知して光・機械マウス装置の動きを検出してそれに対応するようにポインターを動かすのである。
【０００３】
前述のように従来には使用者がマウス装置を移動させて、前記のマウス装置は前記の使用者による移動を感知してそれに対応されるようにポインターを移動するようにする方式を使った。
【０００４】
これによって従来のマウス装置を使ってポインターを移動するためには必ずマウス装置が動くことができる空間が必要であった。
【発明の概要】
【発明が解決しようとする課題】
【０００５】
ところが、マウス装置の使用環境がいつもマウス装置を充分に移動させることができる空間が提供されることではない。これによってマウス装置を移動させる空間が不足な場合には使用者がポインターを自由に移動させることができなかった。
【０００６】
また、従来のマウスはコンピューターを使う時間が長い場合は摩擦面を持つ底やパッド上で操作上の不自然で手首の疲れ度が増加して手首の痛症を訴える場合が茶飯事である。
【０００７】
また、ノート・パソコンの使用環境ではマウス装置の移動空間が充分に提供されない。これによって通常的にノート・パソコンはボールを動かしてポインターを動かすトラックボールタイプまたはタッチパッドを使ったが、前記のトラックボール及びタッチパッドは使用が不便でノート・パソコンではない場合にはほとんど使われなかった。
【課題を解決するための手段】
【０００８】
このような目的を果たすための本発明によるマウスは、内部に収容部が形成されるハウジングと、前記の収容部に実装されるマウス本体と、前記の収容部の内側壁面に位して、前記のマウス本体が接触された時に前記のマウス本体の動きを検出してポインターを移動させる感知手段と、を備える。
【０００９】
また本発明によるマウスは、内部に収容部が形成されるハウジングと、着脱ができる構造に前記の収容部に実装されるマウス本体と、前記の収容部の内側壁面に位して前記のマウス本体が接触された時に前記のマウス本体の動きを検出してポインターの移動信号を発生させる加圧感知手段と、を備えて、前記のマウス本体の底面には前記のマウス本体が前記のハウジングから分離した時に前記のマウス本体の動きを検出してポインターの移動信号を発生させる移動感知手段を備える。
【００１０】
また本発明によるマウスは、内部に収容部が形成されるハウジングと、着脱ができる構造に前記の収容部に実装されるマウス本体と、前記の収容部の内側壁面に位して前記のマウス本体が接触された時に前記のマウス本体の動きを検出してポインターの移動信号を発生させる加圧感知手段と、を備えて、前記のハウジングの底面には前記のハウジングの動きを検出してポインターを移動させる移動感知手段を備える。 
【００１１】
また本発明によるマウスは、側方向に印加される接触圧力を感知してポインターの移動信号を発生させる加圧感知手段を上面に備えるハウジングと、前記の加圧感知手段が内部に引入される収容溝が底面に形成されて前記のハウジングの上面に実装されるマウス本体と、を備えて、前記のマウス本体の底面には前記のマウス本体が前記のハウジングから分離した時に前記のマウス本体の動きを検出してポインターの移動信号を発生させる移動感知手段を備える。
【００１２】
また本発明によるマウスは、側方向に印加される接触圧力を感知してポインターの移動信号を発生させる加圧感知手段を底面に備えるマウス本体と、前記の加圧感知手段が内部に引入される収容溝が上面に形成されて前記のマウス本体が上面に実装されるハウジングと、を備えて、前記のハウジングの底面には前記のハウジングの動きを検出してポインターの移動信号を発生させる移動感知手段を備える。
【００１３】
また本発明によるマウスは、地面に安着されるハウジングと、前記のハウジングの外側面に据え置きされるマウス本体と、を備えて、前記のハウジングとマウスの本体中のどれか一つには感知手段を突き出されるように備えて、前記のハウジングとマウス本体中の他の一つには前記の感知手段が引入される収容溝が形成されて、前記の感知手段は前記の収容溝の内壁との接触圧力を感知してポインターの移動信号を発生させるように構成される。
【００１４】
また本発明によるマウスは、地面に安着されるハウジングと、前記のハウジングの外側面に据え置きされるマウス本体と、を備えて、前記のハウジングとマウス本体中のどれか一つには突出バーを備えて、前記のハウジングとマウス本体中の他の一つには前記の突出バーが引入される収容溝が形成されて、突出バーと収容溝の間の接触圧力を感知してポインターの移動信号を発生させる感知手段を前記の突出バーの外側面または収容溝の内側面に具備される。
【００１５】
また本発明によるマウスは、地面に安着されるハウジングと、前記のハウジングの外側面に据え置きされるマウス本体と、を備えて、前記のハウジングとマウス本体中のどれか一つには感知手段を突き出されるように備えて、前記のハウジングとマウス本体中の他の一つには前記の感知手段が引入される収容溝が形成されて、前記の感知手段は前記の収容溝の内壁との接触圧力を感知してポインターの移動信号を発生させるように構成される。
【００１６】
また本発明によるマウスは、地面に安着されるハウジングと、前記のハウジングの外側面に据え置きされるマウス本体と、を備えて、前記のハウジングとマウス本体中のどれか一つには突出バーを備えて、前記のハウジングとマウス本体中の他の一つには前記の突出バーが引入される収容溝が形成されて、突出バーと収容溝の間の接触圧力を感知してポインターの移動信号を発生させる感知手段を前記の突出バーの外側面または収容溝の内側面に備える。
【図面の簡単な説明】
【００１７】
【図１】本発明によるマウスの第１実施例の分解斜視図である。
【図２】本発明によるマウスの第１実施例の斜視図である。
【図３】本発明によるマウスの第１実施例の平面図である。
【図４】本発明によるマウスの第２実施例の平面図である。
【図５】本発明によるマウスの第２実施例の弾性手段を図示する平面図である。
【図６】本発明によるマウスの第３実施例の側断面図である。
【図７】本発明によるマウスがキーボードに附着した状態を図示する斜視図である。
【図８】本発明によるマウスがノート・パソコンに附着した状態を図示する斜視図である。
【図９】本発明によるマウスのハウジングが変形された形象を図示する斜視図である。
【図１０】本発明によるマウスの第４実施例の分解斜視図である。
【図１１】本発明によるマウスの第４実施例に備えられるマウス本体の底面の斜視図である。
【図１２】本発明によるマウスの第４実施例の断面図である。
【図１３】本発明によるマウスの第５実施例の断面図である。
【図１４】信号伝達ケーブルの結合構造を図示する本発明によるマウスの第４実施例の断面図である。
【図１５】信号伝達ケーブルの結合構造を図示する本発明によるマウスの第４実施例の断面図である。
【図１６】本発明によるマウスの第６実施例の使用例を図示する断面図である。
【図１７】本発明によるマウスの第６実施例の使用例を図示する断面図である。
【図１８】本発明によるマウスの第７実施例の断面図である。
【図１９】本発明によるマウスの第８実施例の断面図である。
【図２０】本発明によるマウスの第９実施例の断面図である。
【図２１】本発明によるマウスの第１０実施例の断面図である。
【図２２】本発明によるマウスの第１１実施例の使用例を図示する断面図である。
【図２３】本発明によるマウスの第１１実施例の使用例を図示する断面図である。
【図２４】本発明によるマウスの第１２実施例の分解斜視図である。
【図２５】本発明によるマウスの第１２実施例の断面図である。
【図２６】本発明によるマウスの第１３実施例の断面図である。
【図２７】本発明によるマウスの第１４実施例の分解斜視図である。
【図２８】本発明によるマウスの第１４実施例の断面図である。
【図２９】本発明によるマウスの第１５実施例の断面図である。
【図３０】本発明によるマウスの第１６実施例の分解斜視図である。
【図３１】本発明によるマウスの第１６実施例の断面図である。
【図３２】本発明によるマウスの第１７実施例の断面図である。
【図３３】本発明によるマウスの第１８実施例の断面図である。
【図３４】本発明によるマウスの第１９実施例の断面図である。
【図３５】本発明によるマウスの第２０実施例の分解斜視図である。
【図３６】本発明によるマウスの第２０実施例の断面図である。
【図３７】本発明によるマウスの第２１実施例の断面図である。
【発明を実施するための形態】
【００１８】
図１は本発明によるマウス第１実施例の分解状態を図示する斜視図であり、図２は本発明によるマウス第１実施例の結合状態を図示する斜視図である。
【００１９】
図１ないし図２の図示のように本発明によるマウスは大きくハウジング１００と、前記のハウジング１００に収容されるマウス本体２００に仕分けされる。
【００２０】
ハウジング１００は上側が開口された円形の収容部１１０が形成されて、前記のハウジング１００の内部には後述されるマウス本体２００の動きにあたる制御信号をコンピューターに送るための電子回路基板（未図示）が実装される。
【００２１】
また、ハウジング１００には本発明のマウスがコンピューターに連結する方法によって有線形コード（未図示）が外側に繋がれるとか、無線型マウスに具現するための部品が内部に実装される。
【００２２】
ここで、有線形コードは有線でコンピューターと連結するためにシリアル式ラインまたはＰＳ／２式ラインまたはＵＳＢ方式で構成されることで、シリアル式は直列ポートで繋がれて、ＰＳ／２式は専用ポートに繋がれて、ＵＳＢ方式は拡張スロットに並列で繋がれる。
【００２３】
また、無線型マウスに具現するためには赤外線通信のための部品またはラジオ通信のための部品またはブルートゥースモジュールなどが実装されることができる。
【００２４】
一方、ハウジング１００の下端には滑ることを防止するゴム材を附着するとか、ゴム吸着器１０１を備え、前記のゴム吸着器１０１は滑らかな表面に大気圧力を利用して前記のハウジング１００を固定させるのである。
【００２５】
また、ハウジング１００には使用者の手首の荷重によって固定されるように手首枕１０２が附設され、前記の手首枕１０２は使用者の手首を安定的に支えながらハウジング１００を設置面に安定的に固定して動きを最小化する。また、前記の手首枕１０２の上部にはシリコーンまたはゴム材が設置されることができる。
【００２６】
マウス本体２００はハウジング１００の収容部１１０に挿入されるように前記の収容部１１０より小さなサイズの円形を持つ形象であり、前記のマウス本体２００の上端に露出して使用者の便宜のための位置に整列されて配置される信号入力ボタン２０１及びスクロールボタン２０３を備える。
【００２７】
信号入力ボタン２０１は特定の位置においてボタンを押すとか（クリック）、ボタンを押したままマウスを動かすとか（ドラッグ）、ボタンを素早く二度連続して押す（ダブルクリック）などの動作を遂行して、使用者が選択することができる所定の機能項目、例として“コピー、張り付け、 削除”などを画面上に表示して選択することができるし、スクロールボタン２０３は回転型に具現されて、使用者が指でスクロールボタン２０３を上下で回転させながら画面上に表示されたカーソルやスクロールを上下に移動させる役目をするようになる。
【００２８】
一方、マウス本体２００の側面には後述される感知手段３１０との正確な接触のために突起（未図示）が繰り返し形成されることができ、前記の突起（未図示）は一般的なギアの形象で山状部が円形を成すように構成される。
【００２９】
図３は本発明によるマウスの第１実施例の平面図であり、図４は本発明によるマウスの第２実施例の平面図である。
【００３０】
感知手段３１０はマウス本体２００の動きを感知して画面上のポインターを移動させるもので、収容部１１０の内側壁面に沿って附着する圧力センサーで構成されることができて、収容部の内側壁面に一定間隔で離隔設置させる加圧スイッチで構成されることもできる。
【００３１】
圧力センサーは図３に図示されたところのように収容部１１０の内側壁面に沿って附着され、前記の圧力センサーは内部に接点が附設されてマウス本体２００が一側に接触された時または、前記のマウス本体２００が接触された状態で加圧された時にこれを感知してコンピューターの画面上のポインターを移動させる。
【００３２】
一方、前記の圧力センサーは接触信号の検出によって画面上でポインターが動作して、接触後に圧力加重値による検出量を反映してポインターの速度を調整するようになる。
【００３３】
加圧スイッチは図４の図示のように収容部１１０の内側壁面に沿って多数個が離隔設置され、前記の加圧スイッチは一般的なプッシュタイプスイッチとしてマウス本体２００が収容部１１０の内から一側に移動した時、前記のマウス本体２００と接する多数の加圧スイッチが押されて、押された加圧スイッチの位置と個数を反映してコンピューターのポインターは移動するようになる。
【００３４】
一方、加圧スイッチの場合にはポインターの移動速度をプッシュタイプスイッチの押されの程度を感知してポインターの移動速度を決めることもできる。
【００３５】
また、圧力センサーと加圧スイッチがそれ自体ポインターの移動速度の調整が不可能な場合には、前記の圧力センサーと加圧スイッチは単純にポインターの移動方向だけ案内して、ポインターの移動速度はソフトウエア的な操作で速度を調整する方法と、マウス本体２００の一側にポインターの移動速度を調整する速度調整スイッチ２０４を追加して調整することができるし、前記の速度調整スイッチ２０４は操作の便宜性を高めるように親指が位するマウス本体２００の左側に位するのが好ましい。
【００３６】
このような、接触による信号を発生させる圧力センサーまたは加圧スイッチはもう従来にたくさん使われているので、これに対する内部の構造及び動作に関する詳細な説明は略する。
【００３７】
図５は本発明によるマウスの第２実施例の平面図であり、図６は本発明によるマウスの第３実施例の側面図である。
【００３８】
以上の説明では感知手段３１０によってコンピューターのポインターを移動させたが、ポインターの移動の時マウス本体２００はハウジング１００の収容部１１０の内側を移動するようになって、前記の収容部１１０の内側の前記のマウス本体２００は感知手段３１０と継続的な接触が成り立ってポインターが使用者の意図と違い動くことがあるので、これを解決するために前記のハウジング１００とマウス本体２００の間にはマウス本体２００が感知手段３１０と接触されないように位置を復元させる弾性手段４００が必要になる。
【００３９】
第２実施例による弾性手段４００は図５の図示のように収容部の底面に形成される空間部（未図示）に水平方向に移動可能に挿入される円形の下端４１１と、前記の収容部１１０側に突き出されてマウス本体２００に繋がれる上端４１２で構成される作動具４１０と、前記の作動具４１０の下端４１１をくるむように結合される多数の加圧部材４２０と、前記の加圧部材４２０を作動具４１０の方向に弾性力を印加するスプリング４３０で構成される。
【００４０】
また、加圧部材４２０は作動具４１０の下端４１１に密着される面が弧形を成す形象で安定的に密着されて、前記の作動具４１０の下端４１１を中心に９０度間隔で４個が設置される。
【００４１】
一方、加圧部材４２０は９０度間隔で４個が設置されることに限定するのではなく、必要によって個数の加減があり得ることは勿論である。
【００４２】
また、９０度間隔で設置される加圧部材４２０に設置されるそれぞれのスプリング４３０は引張り方向に等しい弾性力を持って、これは作動具４１０がいつも収容部１１０の真中に位してマウス本体２００が感知手段３１０と接触を防止するのである。
【００４３】
一方、加圧部材４２０はスイッチで構成されて前記の加圧部材４２０の押されの程度によってコンピュータースクロールの移動方向を調整することもできる。
【００４４】
第３実施例による弾性手段４００は図６に図示されたところのように下端は収容部１１０の中央に固定設置されて、上端はマウス本体２００の底面に固定される弾性バーで構成されるが、前記の弾性バーは垂直方向を中心に復元力を印加するように構成される。
【００４５】
ここで、弾性バーは板スプリング素材及び復元力を持つ合成樹脂材で形成される。
【００４６】
したがって、ハウジング１００の収容部１１０の内側にマウス本体２００が挿入されて、前記の収容部１１０の内側壁面に沿って感知手段３１０が設置されて、前記のハウジング１００とマウス本体２００の間には弾性手段４００が具備されて本発明のマウスが構成される。
【００４７】
以上の説明では本発明の大略的な構成を説明したが、以下の説明では本発明の作動法を図１ないし図６を参照して詳しく説明する。
【００４８】
まず、使用者はマウス本体２００を把持した状態で動こうとする方向に前記のマウス本体２００をハウジング１００の収容部１１０の内側で移動させて、移動された前記のマウス本体２００は前記の収容部１１０の内部壁面の感知手段３１０と接触して一定の座標信号を発生させる。発生された座標信号によって画面上のポインターは前記のマウス本体２００と等しく移動するようになる。移動された状態で前記のマウス本体２００の信号入力ボタン２０１及び／又はスクロールボタン２０３によって命令を入力して動作を行う。
【００４９】
以後、使用者はマウス本体２００の把持を解除して、解除されたマウス本体２００は弾性手段４００によって収容部１１０の真中に位して感知手段３１０との接触を解除して動作待機状態に帰る。
【００５０】
図７は本発明によるマウスがキーボードに附着した状態を図示する斜視図であり、図８は本発明によるマウスがノート・パソコンに附着した状態を図示する斜視図である。
【００５１】
上述したマウスは図７に図示されたところのようにキーボード（Ｂ）の一側に固定して使用が可能であり、これは空間的な利点だけではなく有線形マウスの場合に配線をキーボード内側と連結して線の整理にも利点を持つことができる。
【００５２】
また、使用者の便宜のためにキーボード（Ｂ）とマウスを分離して使うこともできる。
【００５３】
一方、本発明のマウスは図８に図示されたところのようにノート・パソコン（Ｃ）のタッチパッドが設置される中央に設置されるとか、ノート・パソコン（Ｃ）の一側に前記のマウスが脱着可能に附着することもできる。
【００５４】
図９は本発明によるマウスのハウジングが変形された形象を図示する斜視図である。
【００５５】
図９に図示されたところのように本発明によるマウスは、長さが一方向で長いバー形の形象を持つハウジング１００と、前記のハウジング１００の上側に使用者の人差し指で操作が可能に設置されるマウス本体２００で構成されることができる。この時使用者はバー形のハウジング１００を把持した状態で人差し指の操作でマウス本体２００を移動させながらコンピューターのポインターを移動させる。
【００５６】
また、マウス本体２００には人差し指が安着されることができる指溝２０５が形成されて安定的な操作が可能である。
【００５７】
図１０は本発明によるマウスの第４実施例の分解斜視図であり、図１１は本発明によるマウスの第４実施例に備えられるマウス本体の底面斜視図であり、図１２は本発明によるマウスの第４実施例の断面図である。
【００５８】
図１０ないし図１２に図示されたところのように本発明によるマウスは、 内部に収容部１１０が形成されるハウジング１００と、着脱ができる構造に前記の収容部１１０に実装されるマウス本体２００と、前記の収容部１１０の内側壁面に位して前記のマウス本体２００が接触された時前記のマウス本体２００の動きを検出してポインターの移動信号を発生させる加圧感知手段３１０と、下端が前記の収容部１１０の底面に固定結合されて上端が前記のマウス本体２００の内部に挿入される弾性手段４００を備える。
【００５９】
前記のハウジング１００は底面にゴム吸着器１０１を備えて底面に固定されることができるように構成して、前記の収容部１１０は円形の溝形象で形成される。
【００６０】
この時、前記のハウジング１００は図１０に図示されたところのように収容部１１０が中央に位するように形成されることができるし、どの一側が水平方向に長く延長されて使用者の手首や腕を据え置きさせることができるように形成されることもできる。このように使用者の手首や腕を据え置きさせるように構成される場合、前記のハウジング１００がよりしっかりと底面に固定されるという効果がある。
【００６１】
前記のマウス本体２００は前記の収容部１１０よりちょっと小さく形成されて、前記の収容部１１０の内で前後、左右方向に少しずつ動くことができるし、前記の収容部１１０の中央に位した時には図１２の図示のように前記の感知手段３１０のどっちにも接触されなくなる。
【００６２】
図１２に図示された状態で前記のマウス本体２００が一側に移動して前記の感知手段３１０に接触されれば、前記の感知手段３１０はこれを感知してコンピューター画面上のポインターを移動させる。一方、感知手段３１０は接触信号の検出によって画面上でポインターを移動させて、接触後に圧力加重値による検出量を反映してポインターの速度を調整するようになる。
【００６３】
この時、前記の感知手段３１０は前記のマウス本体２００がどれほど大きい力で接触されるかによってポインターの速度を加減することができるようにすなわち、前記のマウス本体２００の接触後圧力加重値による検出量を反映してポインターの速度を調節するように構成されることが好ましい。したがって使用者が前記のマウス本体２００をつよく押す場合にポインターは早く移動されて、前記のマウス本体２００を弱く押す場合にポインターはゆっくり移動される。
【００６４】
また、使用者が前記のマウス本体２００を一側に押して感知手段３１０に接触させた状態になれば、使用者が前記のマウス本体２００から手をはなしてもマウス本体２００と感知手段３１０は接触された状態をそのまま維持するのでポインターは持続的に移動するようになる。
【００６５】
前記の弾性手段４００はこのような問題点を解決するための構成要素として、円柱形象の弾性体で形成されて、下端が前記の収容部１１０の底面の中央の部位に固定結合されて、上端がマウス本体２００の底面の中央に形成された挿入ホール２１０に挿入される。したがって、前記の弾性手段４００は前記のマウス本体２００に別途の外力が印加されない場合前記のマウス本体２００を収容部１１０の中央に位置させるようにすなわち、前記のマウス本体２００が前記の感知手段３１０から離隔されるように前記のマウス本体２００を元の位置に復帰させる役目をする。
【００６６】
この時本発明は、前記のマウス本体２００を前記のハウジング１００から分離させて通常的な‘移動型マウス’のように使うことができるという点に最大の特徴がある。
【００６７】
すなわち、前記のマウス本体２００は図１１の図示のように、前記のハウジング１００から分離した時前記のマウス本体２００の動きを検出してポインターの移動信号を発生させる移動感知手段２２０が底面に備えられるところ、前記のハウジング１００から分離した時通常的な移動型マウスに活用されることができる。
【００６８】
したがって使用者は、マウスを使おうとする場合に前記のマウス本体２００をハウジング１００に安着させて操作して、移動型マウスを使おうとする場合に前記のマウス本体２００をハウジング１００から分離させて操作することで、各状況に合う適切なマウス活用ができるようになる。
【００６９】
図１３は本発明によるマウスの第５実施例の断面図である。
【００７０】
前記のマウス本体２００に具備される移動感知手段２２０は、図１１ないし図１２に図示されたところのように通常の光マウスに使われる光センサーで構成されることができるし、図１３に図示されたところのように通常のボールマウスに使われるボール、ローラー、エンコーダーなどで構成されることができる。ボールが回転されることによってローラーが回転されてこれによってエンコーダーがポインターの移動信号を発生させる構造は通常のボールマウスのポインターの移動信号の発生構造と等しいので、これに対する詳細な説明は略する。
【００７１】
図１４及び図１５は信号伝達ケーブル５００の結合構造を図示する本発明によるマウスの第４実施例の断面図である。
【００７２】
本発明によるマウスが有線形マウスに適用される場合、発生されたポインターの移動信号をコンピューターに伝達する信号伝達ケーブル５００が必須に要求される。
【００７３】
この時前記の信号伝達ケーブル５００は、前記のマウス本体２００が前記のハウジング１００に装着された時すなわち、マウスに使われる時には前記のハウジング１００に結合されて前記の感知手段３１０から発生されるポインターの移動信号をコンピューターに伝達して、前記のマウス本体２００が前記のハウジング１００から分離した時すなわち、移動型マウスに使われる時には前記のマウス本体２００に結合されて前記の移動感知手段２２０から発生されるポインターの移動信号をコンピューターに伝達する。
【００７４】
したがって図１４に図示されたところのように信号伝達ケーブル５００がハウジング１００に結合された状態では感知手段３１０で発生されるポインターの移動信号をコンピューターに伝達して、図１５に図示されたところのように信号伝達ケーブル５００がマウス本体２００に結合された状態では移動感知手段２２０で発生されるポインターの移動信号をコンピューターに伝達するところ、感知手段３１０と移動感知手段２２０で同時にポインターの移動信号を伝達する現象が発生されなくなる。
【００７５】
また前記の信号伝達ケーブル５００は常時マウス本体２００またはハウジング１００に固定結合され、前記のマウス本体２００が前記のハウジング１００に装着された時には前記の感知手段３１０から発生されるポインターの移動信号を伝達して、前記のマウス本体２００が前記のハウジング１００から分離した時には前記の移動感知手段２２０から発生されるポインターの移動信号を伝達するように構成されることができる。このように構成される場合、前記の信号伝達ケーブル５００の結合位置を変更させる必要がないので、利用が非常に簡便になるという長所がある。
【００７６】
図１６及び図１７は本発明によるマウスの第６実施例の使用例を図示する断面図である。
【００７７】
本発明によるマウスは無線型マウスに具現されることもできる。このような場合に前記の感知手段３１０と移動感知手段２２０は無線でポインターの移動信号を送るように構成されて、前記の本体には前記の移動感知手段２２０の動作をオン/オフさせるためのモード転換スイッチ６００を備える。
【００７８】
図１６に図示された状態は移動感知手段２２０の動作がオフ（ＯＦＦ）になるようにモード転換スイッチ６００が操作された状態として、このような状態では感知手段３１０で発生されるポインターの移動信号だけをコンピューターに伝達する。反対に、図１７に図示された状態は移動感知手段２２０の動作がオン（ＯＮ）になるようにモード転換スイッチ６００が操作されてマウス本体２００をハウジング１００から分離した状態として、このような状態では移動感知手段２２０で発生されるポインターの移動信号だけをコンピューターに伝達する。
【００７９】
図１８は本発明によるマウスの第７実施例の断面図である。
【００８０】
前記のマウス本体２００を収容部１１０の中央に復帰させる弾性手段４００は、図１ないし図１７に図示されたところのように自体復元弾性力でマウス本体２００を元の位置に復帰させる構造以外に、磁力を利用するように構成されることができる。
【００８１】
すなわち、 前記の弾性手段４００は、前記の収容部１１０の底面と前記のマウス本体２００の底面にお互いに見合わせるようにそれぞれ装着されて相互引力を発生させる一対の磁性体４４０で構成されることができる。マウス本体２００が一側に移動すれば一対の磁性体４４０の配列方向は一側に外れるように（すなわち、各磁性体４４０の垂直中心軸が外れるように）なって、このような状態でマウス本体２００に加えられた外力が解除されれば一対の磁性体４４０は相互引力によって配列方向が垂直になるように（すなわち、各磁性体４４０の垂直中心軸が一致するように）元の位置に復帰されるところ、前記のマウス本体２００も図１８に図示された状態に元の位置に復帰される。
【００８２】
前記の弾性手段４００が弾性体で構成されれば使用回数が増加することによって弾性体が変形または毀損されてマウス本体２００が正常に元の位置に復帰されることができなくなるという短所があるが、前記の弾性手段４００が一対の磁性体４４０で構成されれば使用回数がいくら増加しても変形または毀損される構成要素がないので耐久性が向上するという長所がある。
【００８３】
図１９は本発明によるマウスの第８実施例の断面図である。
【００８４】
また前記の弾性手段４００は、前記の収容部１１０の内壁から前記のマウス本体２００に向けて突き出される弾性部材４５０で適用されることもできる。すなわち、前記のマウス本体２００が一側に移動するようになれば該当の方向に位する弾性部材４５０が圧縮されるので、外力解除時前記の弾性部材４５０の弾性力によって前記のマウス本体２００が元の位置に復帰する。
【００８５】
この時、前記の弾性部材４５０とマウス本体２００との間の密着性が向上するように、前記のマウス本体２００の外側面には前記の弾性部材４５０の端が挿入される凹入溝が形成されることが好ましい。
【００８６】
また、前記の弾性部材４５０は前記のマウス本体２００がどの方向に移動されても前記のマウス本体２００に弾性力を印加するように前記の収容部１１０の内壁全周にかけて形成されることが好ましい。このように前記の弾性部材４５０が前記の収容部１１０の内壁全周にかけて形成されれば、マウス本体２００とハウジング１００の間のすき間に外部のほこりや異物が流入されることができなくなるという長所がある。
【００８７】
図２０は本発明によるマウスの第９実施例の断面図であり、図２１は本発明によるマウスの第１０実施例の断面図である。
【００８８】
本発明によるマウスは、前記のマウス本体２００がハウジング１００で分離した後単独に移動型マウスに使われるように構成されることができて、前記のマウス本体２００が安着されたハウジング１００自体が移動型マウスに使われるように構成されることもできる。
【００８９】
すなわち、本発明によるマウスは、内部に収容部１１０が形成されるハウジング１００と、着脱ができる構造に前記の収容部１１０に実装されるマウス本体２００と、前記の収容部１１０の内側壁面に位して前記のマウス本体２００が接触された時前記のマウス本体２００の動きを検出してポインターの移動信号を発生させる感知手段３１０を備えて、前記のハウジング１００の底面には前記のハウジング１００の動きを検出してポインターを移動させる移動感知手段２２０を備えるように構成されることができる。前記の移動感知手段２２０は、図１２及び図１３を参照して説明したところのように、光センサー（図２０参照）で構成されることもできて、ボールとローラーとエンコーダー（図２１参照）で構成されることもできる。
【００９０】
この時、図２０及び図２１に図示された実施例はハウジング１００の動きを感知してポインターの移動信号を発生させるように構成されるところ、前記のハウジング１００の固定のためのゴム吸着器１０１は省略されなければならない。
【００９１】
使用者は前記のマウス本体２００を手で握ってマウス本体２００とハウジング１００皆を移動させれば、前記のハウジング１００の底面に具備されている移動感知手段２２０はハウジング１００がどの方向にどの位の速度で移動するかどうかを感知してこれに相応するポインターの移動信号を発生させる。
【００９２】
すなわち、図２０及び図２１に図示された本発明によるマウスは、ハウジング１００は固定させてマウス本体２００だけを移動させる時にはマウスとして動作されて、マウス本体２００とハウジング１００の全体を移動させる時には通常の移動型マウスと等しく動作されるのである。本発明によるマウスがこのように構成されれば、本発明によるマウスを移動型マウスに使おうとする時マウス本体２００をハウジング１００から分離させる必要がないので、使用方式の転換が簡便になるという長所がある。
【００９３】
図２２及び図２３は本発明によるマウスの第１１実施例の使用例を図示する断面図である。
【００９４】
図２０及び図２１に図示された実施例はマウス本体２００の外側面と収容部１１０の内側壁の間が離隔されているのでハウジング１００がマウス本体２００を取ってハウジング１００まで一緒に移動させる時マウス本体２００とハウジング１００が一体で動かないので、操作が不便だという短所がある。
【００９５】
したがって本発明によるマウスは図２２及び図２３に図示されたところのように、前記のマウス本体２００を前記のハウジング１００に固定させる固定手段７００をさらに備えるように構成されることができる。
【００９６】
前記の固定手段７００はスライディングできる構造に前記のマウス本体２００に結合されて、１回押された時端（本の実施例では下端）が前記のハウジング１００に挿入されて前記のマウス本体２００とハウジング１００を一体で結合させて、もう一度押された時端が前記のハウジング１００から引き出しされて前記のマウス本体２００とハウジング１００の結合を解除させるように構成される。すなわち、本発明によるマウスをマウスに利用する時には図２２に図示されたところのようにマウス本体２００が独立的に動くように前記の固定手段７００の固定が解除されて、本発明によるマウスを移動型マウスに利用する時には図２３に図示されたところのようにマウス本体２００がハウジング１００と一体で動くように前記の固定手段７００が前記のマウス本体２００をハウジング１００に固定結合させる。
【００９７】
本実施例では前記の固定手段７００を押すのを繰り返すことによって挿入及び突き出が交互で繰り返されるノック式構造に構成された場合だけを説明しているが、前記の固定手段７００は前記のマウス本体２００をハウジング１００に固定結合させることができる構造ならどんな構造でも適用されることができる。このような固定結合構造は多様な構造で広く使われているところ、これに対する詳細な説明は略する。
【００９８】
また、本発明によるマウスは、前記の固定手段７００がマウス本体２００を前記のハウジング１００に固定させるのかまたは固定を解除するのかによって移動感知手段２２０と感知手段３１０中のどの手段からポインターの移動信号が発生されるか選択されることができるように構成されることができる。
【００９９】
すなわち、前記の固定手段７００が前記のマウス本体２００を前記のハウジング１００に固定させれば前記の移動感知手段２２０が活性化になって前記の感知手段３１０が非活性化されて、ポインターは前記の移動感知手段２２０から発生されるポインターの移動信号によって動くようになる。反対に、前記の固定手段７００が前記のマウス本体２００の固定を解除させれば前記の感知手段３１０が活性化になって前記の移動感知手段２２０が非活性化されて、ポインターは前記の感知手段３１０から発生されるポインターの移動信号によって動くようになる。
【０１００】
図２４及び図２５は本発明によるマウスの第１２実施例の分解斜視図及び断面図である。
【０１０１】
図１ないし図２３に図示された本発明によるマウスは、どの方向にマウス本体２００が移動しても感知手段３１０が等しい加圧力を受けることができるように前記のマウス本体２００と収容部１１０が四方対称を成す形象すなわち、円形で製作され、このように前記のマウス本体２００が円形で形成される場合に使用者が手で握るのに不便さが発生するおそれがある。
【０１０２】
このような問題点を解決するために、前記のマウス本体２００は図２４に図示されたところのように使用者が手で握りやすい形象（通常のマウスのように有線形を成す形象）で製作されて、前記の感知手段３１０が円筒形象で形成されてマウス本体２００の内部に引入されるように構成されることができる。この時前記のマウス本体２００の底面には前記の感知手段３１０の外径よりちょっと大きい円筒形象の収容溝３２０が形成されて、前記の感知手段３１０の外側面と収容溝３２０の内壁が離隔された状態を維持するように上端が収容溝３２０の内側の端面（図２５では上側面）に固定結合されて下端が感知手段３１０に挿入される弾性手段４００を備える。すなわち、前記の弾性手段４００は前記のマウス本体２００が前記のハウジング１００上面に実装された時他端が前記の加圧センサーに挿入されて、外力が印加されない限り前記の感知手段３１０を前記の収容溝３２０の中心部に位置させる役目をする。
【０１０３】
このように感知手段３１０が円筒形象で形成されてマウス本体の内部に引入されるように構成されれば、マウス本体の外形が円形ではないとしてもマウス本体の動きの方向にかかわらず均すように接触圧力を受けることができるので、ポインターの動作を各方向別で均すように具現することができるようになるという長所がある。すなわち、前記のマウス本体２００の外形を使用者の好みにあうように多様にデザインすることができるという長所がある。
【０１０４】
この時、前記のマウス本体２００の底面には前記のマウス本体２００が前記のハウジング１００から分離した時に前記のマウス本体２００の動きを検出してポインターの移動信号を発生させる移動感知手段２２０を備える。
【０１０５】
また、前記の弾性手段４００は図２５に図示された棒形象の弾性体に限定されなくて、図１８及び図１９を参考して説明した一対の磁性体４４０または弾性部材４５０で適用されることができる。
【０１０６】
すなわち、前記の弾性手段４００は、前記の収容溝３２０の底面の中心部と前記の感知手段３１０の端の中心部にそれぞれ具備されて相互引力を発生させる一対の磁性体（未図示）で構成されることができるし、前記の収容溝３２０の内壁に具備されて前記の感知手段３１０を向けて突き出される弾性部材（未図示）で構成されることもできる。前記の弾性手段４００が弾性部材で構成される場合、前記の感知手段３１０の側面には前記の弾性部材の端が挿入される別途の溝（未図示）が形成されることが好ましくて、前記の弾性部材は前記の収容溝３２０の内壁の全周にかけて形成されることが好ましい。
【０１０７】
図２６は本発明によるマウスの第１３実施例の断面図である。
【０１０８】
図２５に図示されたマウスを移動型マウスに使おうとする場合にはマウス本体２００をハウジング１００から分離させて使わなければならないが、マウス本体２００とハウジング１００の全体を移動型マウスに使うこともできる。
【０１０９】
すなわち、本発明によるマウスは、図２６に図示されたところのように側方向に印加される接触圧力を感知してポインターの移動信号を発生させる感知手段３１０が底面に具備されるマウス本体２００と、前記の感知手段３１０が内部に引入される収容溝３２０が上面に形成されて前記のマウス本体２００が上面に実装されるハウジング１００を備えて、前記のハウジング１００の底面には前記のハウジング１００の動きを検出してポインターの移動信号を発生させる移動感知手段２２０を備えるように構成されることができる。
【０１１０】
前記の言及したところのように、本発明によるマウスが図２５及び図２６の図示のように製作されれば、通常的な移動型マウスとほとんど等しい外形を持つことができる。特に、マウス本体２００とハウジング１００の全体を動かして移動型マウスに使う場合、通常的な移動型マウスを使う時と等しい操作感を感じることができるようになる。したがって使用者に拒否感を与えなくてより手軽く使い方を慣らすようにすることができるという長所がある。
【０１１１】
図２７は本発明によるマウスの第１４実施例の分解斜視図であり、図２８は本発明によるマウスの第１４実施例の断面図である。
【０１１２】
本発明によるマウスは図２７及び図２８に図示されたところのように、上面に円筒（円柱）形象の感知手段３１０を備えて地面に安着されるハウジング１００と、前記の感知手段３１０が引入可能な収容溝３２０が底面に形成されて前記の感知手段３１０が前記の収容溝３２０の内部に引入されるように前記のマウス本体２００の上面に安着されるマウス本体２００を備える。
【０１１３】
前記のマウス本体２００の上端には使用者の便宜のための位置に整列して配置される信号入力ボタン２０１及びスクロールボタン２０３が備えられる。前記の信号入力ボタン２０１はポインターを特定の位置においてボタンを押すとか（クリック）、ボタンを押したままマウスを動かすとか（ドラッグ）、ボタンを素早く二度連続して押す（ダブルクリック）などの動作を遂行して、使用者が選択することができる所定の機能項目、例として“コピー、張り付け、削除”などを画面上に表示して選択するように構成される。またスクロールボタンは回転型に具現されて使用者が指でスクロールボタンを上下で回転させながら画面上に表示されたカーソルやスクロールを上下に移動させる役目をするようになる。
【０１１４】
この時、前記の信号入力ボタン２０１及びスクロールボタン２０３はハウジング１００の側面などに具備されることができる。本発明によるマウスはマウス本体２００の動きがほとんどないので、前記の信号入力ボタン２０１及びスクロールボタン２０３がハウジング１００の側面に備えられても使用者は前記のマウス本体２００を側方向で押しながら前記の信号入力ボタン２０１及びスクロールボタン２０３を容易に押すことができるようになる。
【０１１５】
前記の感知手段３１０は前記のマウス本体２００の移動方向を感知してポインターを移動させるための構成要素である。前記の感知手段３１０の動作に関して説明すると次のようである。
【０１１６】
図２８に図示された形象は感知手段３１０が収容溝３２０の中心に位した状態として、この状態ではポインターが移動しない。しかし図２に図示された状態で使用者がマウス本体２００を手で握って水平方向に移動させれば、前記の収容溝３２０の内壁は前記の感知手段３１０に接触されて、前記の感知手段３１０は収容溝３２０の内壁が接触された側の反対方向すなわち、前記のマウス本体２００が移動された方向にポインターが移動されるようにポインターの移動信号を発生させる。この時、前記のマウス本体２００がどの方向に移動しても前記の感知手段３１０に等しい大きさの圧力が印加されることができるように、前記の感知手段３１０と収容溝３２０は円筒形象で形成されることが好ましい。
【０１１７】
この時、使用者が前記のマウス本体２００を一側に押して収容溝３２０の内壁が感知手段３１０に接触された状態で使用者が前記のマウス本体２００から手をはなしても収容溝３２０の内壁と感知手段３１０が接触された状態をそのまま維持すれば、使用者が前記のマウス本体２００を一側に押さないとしてもポインターは持続的に移動するようになる。弾性手段４００はこのような問題点を解決するための構成要素として、一側が前記の収容溝３２０の内壁に結合されて他端が前記の感知手段３１０に接触されることで、前記のマウス本体２００に別途の外力が印加されない場合に前記のマウス本体２００を収容溝３２０の中央に位置させるようにすなわち、前記の収容溝３２０の内壁が前記の感知手段３１０から離隔されるように前記のマウス本体２００を元の位置に復帰させる役目をする。この時前記の弾性手段４００はスポンジや弾性を持つ合成樹脂のように弾性を持つ物質で製作されることができて、コイルスプリングや板スプリングなどのようなスプリングで製作されることもできる。
【０１１８】
前記の弾性手段４００の他端が単純に前記の感知手段３１０の外側面に接触されるように構成されれば前記のマウス本体２００が一側に押された時前記の感知手段３１０と弾性手段４００の他端が相互離隔されてその間でほこりや異物が前記の収容溝３２０の内部に引入される恐れがある。したがって前記の感知手段３１０の外側面には前記の弾性手段４００の端が挿入される凹入溝が形成されることが好ましい。
【０１１９】
また前記のマウス本体２００がどの方向に押されても前記のマウス本体２００を元の位置に復帰させることができるように前記の弾性手段４００は前記の収容溝３２０の内壁の全周にかけて形成されることが好ましい。
【０１２０】
また、マウス本体２００を元の位置に復帰させるための弾性手段４００は、相互引力を発生させるように構成されて一つは前記のハウジング１００に固定結合されて他の一つは前記のマウス本体２００に固定結合される一対の磁石で取り替えられることができて、前記のハウジング１００とマウス本体２００の間の配列方向と直角の方向に復元力を印加するように固定設置されるスプリングまたは合成樹脂で取り替えられることもできる。すなわち、前記の弾性手段４００は外力が印加されない限り前記の感知手段に加圧力が印加されないように前記のマウス本体２００を元の位置に復帰させることができる構造ならどんな構成でも適用または取り替えられることができる。
【０１２１】
この時、前記の感知手段３１０は前記のマウス本体２００がどれほど大きい力で移動されるかによってポインターの速度を加減することができるようにすなわち、収容溝３２０の内壁が接触された以後に圧力加重値による検出量を反映してポインターの速度を調節するように構成されることが好ましい。したがって使用者が前記のマウス本体２００をつよく押す場合にポインターは早く移動されて、前記のマウス本体２００を弱く押す場合にポインターはゆっくり移動される。
【０１２２】
また、前記のポインターの速度を使用者が簡便に調節するように前記のマウス本体２００の一側またはハウジング１００の一側には速度調整スイッチ２０４を備えることができる。したがって使用者は前記の速度調整スイッチ２０４を調整することでポインターの移動速度を増加または減速させることができる。また前記の速度調整スイッチ２０４は１回クリックされることによって前もって設定された特定の速度でポインターが移動されることができるようにする機能が追加されることができる。
【０１２３】
このように構成される本発明によるマウスは前記の加圧手段がマウス本体２００の内部に挿入されるので前記のマウス本体２００の外形を自由に形成することができるという点に最大の特徴がある。
【０１２４】
すなわち、従来のマウスの場合にはハウジング１００の外側端の内壁に形成された感知手段３１０がマウス本体２００の外側面を取り囲むように形成されているので各方向に等しい加圧力の印加を受けるためには前記の感知手段３１０が円形のリング形象で形成されて前記のマウス本体２００の平面形象も円形に形成されなければならないところ使用者が前記のマウス本体２００を手で握るのに不便だという問題点があった。しかし前記の感知手段３１０が前記のマウス本体２００の内部に引入されるように構成される本発明によるマウスは、前記の感知手段３１０が接触される収容溝３２０だけが円形で形成されることに要求されて、外側の形象は使用者が容易に取ることができるようにさまざまな形象で形成されることができる。すなわち、本発明によるマウスに備えられるマウス本体２００は図１の図示のように通常のマウスのように人体工学的な有線形の形象に製作されることができる。
【０１２５】
前記の言及のように、本発明によるマウスが図２７及び図２８に図示されたところのように製作されれば、通常的な移動型マウスとほとんど等しい外形を持つことができる。したがって使用者に拒否感を与えなくてより手軽く使い方を慣らすようにすることができるという長所がある。
【０１２６】
図２９は本発明によるマウスの第１５実施例の断面図である。
【０１２７】
本発明によるマウスは図２９に図示されたところのように、前記の感知手段３１０が前記のマウス本体２００の底面に結合されて、前記の収容溝３２０がハウジング１００の上面に形成されるようにすなわち、図２７及び図２８に図示された実施例と比べた時前記の感知手段３１０とハウジング１００の位置が相互変わるように形成されることができる。
【０１２８】
このように前記の感知手段３１０とハウジング１００の位置が相互変わっても前記のマウス本体２００の外形を自由に変形させることができるという点においては図２７及び図２８に図示された実施例と図２９に図示された実施例の間には差がなくて、マウス本体２００を移動させることでポインターを移動させる操作方式と前記の弾性手段４００によって前記のマウス本体２００が元の位置に復帰される方式などにも差がないので、図２９に図示された実施例の場合にもマウス本体２００の外形を自由に形成することができるし、マウス本体２００を遠くまで移動させないとしてもポインターを持続的に移動させることができるという等しい長所を得ることができる。
【０１２９】
図３０は本発明によるマウスの第１６実施例の分解斜視図であり、図３１は本発明によるマウスの第１６実施例の断面図である。
【０１３０】
本発明によるマウスは図２７及び図２８に図示された実施例のように前記の感知手段３１０自体が円筒状で形成されることもできるが、前記の感知手段３１０がスイッチやプレート形象のセンサーに製作される場合は円筒形象で製作されにくいという問題点が発生するおそれがある。
【０１３１】
すなわち、スイッチやプレート形象のセンサーに製作された感知手段３１０が使われる場合、本発明によるマウスは、上向きに突き出される突出バー３３０が上面に形成されて地面に安着されるハウジング１００と、前記の突出バー３３０が挿入可能な収容溝３２０が底面に形成されて前記のハウジング１００の上面に安着されるマウス本体２００を備えて、前記の感知手段３１０は前記の突出バー３３０の外側面に備えられるように構成されることができる。
【０１３２】
また、本実施例のように感知手段３１０が前記の突出バー３３０に結合される場合、マウス本体２００を元の位置に復帰させるための弾性手段４００は一端が収容溝３２０の内壁に結合されて他端が突出バー３３０の外周面の中で感知手段３１０が結合されない部位に結合されることが好ましい。このように弾性手段４００が感知手段３１０と接触されなければマウス本体２００の移動の時に前記の弾性手段４００との接触による感知手段３１０の誤作動を基本的に防止することができるという長所がある。
【０１３３】
図３２は本発明によるマウスの第１７実施例の断面図である。
【０１３４】
感知手段３１０が別途の突出バー３３０に結合される場合においても、図２９に図示された実施例のように感知手段３１０と収容溝３２０の位置がお互いに変わるように構成されることができる。すなわち、本発明によるマウスは図３２に図示されたところのように前記の突出バー３３０がマウス本体２００に結合されて収容溝３２０がハウジング１００に形成されるように（図３０及び図３１に図示された実施例と比べた時突出バー３３０と収容溝３２０の位置がお互いに変わるように）構成されることができる。
【０１３５】
したがって本発明によるマウスを製作する製作者はハウジング１００及びマウス本体２００の内部構造によって前記の突出バー３３０と収容溝３２０の位置を自由に変更させることができる。
【０１３６】
図３３は本発明によるマウスの第１８実施例の断面図であり、図３４は本発明によるマウスの第１９実施例の断面図である。
【０１３７】
図３０ないし図３２に図示された実施例のように別途の突出バー３３０が追加される場合、前記の感知手段３１０は突出バー３３０の外側面に結合されなくて図３３及び図３４に図示されたところのように収容溝３２０の内側面に結合されることもできる。
【０１３８】
このように前記の感知手段３１０が収容溝３２０の内側面に結合される場合には前記のマウス本体２００が移動される時に前記の感知手段３１０が移動して前記の突出バー３３０に密着されて、前記の感知手段３１０に加圧力が印加される。すなわち、前記の感知手段３１０が収容溝３２０の内側面に結合される場合や前記の感知手段３１０が突出バー３３０の外側面に結合される場合皆マウス本体２００が移動される時に等しく加圧力の印加を受けるようになるから、ポインターの移動信号を発生させることには差がなくなる。
【０１３９】
この時、前記の感知手段３１０が前記の収容溝３２０の内側面に結合される場合には、前記の感知手段３１０が前記の突出バー３３０の外側面に結合される場合に比べて前記の感知手段３１０の装着面積が広くなるので前記のマウス本体２００の移動方向をより細分化して感知することができるようになるという長所がある。特に、前記の感知手段３１０がスイッチで適用される場合、前記の突出バー３３０の外側面より収容溝３２０の内側面にスイッチをもっとたくさん装着させることができるので、マウス本体２００の移動方向感知の細分化の効果がもっと増大されるという長所がある。
【０１４０】
このように前記の感知手段３１０が収容溝３２０の内壁に結合される場合にも、前記のマウス本体２００を元の位置に復帰させるための弾性手段４００は一端が収容溝３２０の内壁に結合されて他端が突出バー３３０の外側面に接触されるように構成されて、もっと好ましくは前記の弾性手段４００の他端が前記の突出バー３３０の外側面に挿入されるように構成される。
【０１４１】
図３５は本発明によるマウスの第２０実施例の分解斜視図であり、図３６は本発明によるマウスの第２０実施例の断面図であり、図３７は本発明によるマウスの第２１実施例の断面図である。
【０１４２】
本発明に備えられる前記のマウス本体２００は、図３５ないし図３７に図示されたところのように底面が前記のハウジング１００の上面と対応されるステッキ形象で形成されることができる。
【０１４３】
このように前記のマウス本体２００がステッキ形象で形成されれば、使用者は前記のマウス本体２００の外周面を手のひらでくるんで握ってジョイ・スティックを使うように本発明によるマウスを利用することができるようになる。
【０１４４】
本実施例のように前記のマウス本体２００が垂直方向に長さを持つステッキ形象で形成される場合、前記の感知手段３１０の高さが低すぎると前記のマウス本体２００を側方に押す時に前記の感知手段３１０が収容溝３２０から離脱される恐れがあるので、前記の感知手段３１０は図１ないし図３４に図示された実施例より高く製作されることが好ましい。この時、前記の感知手段３１０と前記の収容溝３２０は、図３５及び図３６に図示されたところのようにそれぞれハウジング１００の上面とマウス本体２００の底面に具備されることもできて、図３７の図示のようにそれぞれマウス本体２００の底面とハウジング１００の上面に具備されることもできる。
【０１４５】
また、前記のマウス本体２００がステッキ形象で形成される場合にも前記のマウス本体２００には信号入力ボタン２０１及び速度調整スイッチ２０４を備え、前記の信号入力ボタン２０１と速度調整スイッチ２０４をマウス本体２００の外側面に備えれば使用者が前記の信号入力ボタン２０１と速度調整スイッチ２０４を押す時マウス本体２００が側方向に移動して、使用者の意図に一致しないようにポインターが移動される恐れがある。したがって前記の信号入力ボタン２０１と速度調整スイッチ２０４は前記のマウス本体２００の上面に備えることが好ましい。勿論、信号入力ボタン２０１の場合には使用者がマウス本体２００を側方向に押しながら押さなければならない場合も発生することがあるので、使用者の指が位置される地点すなわち、マウス本体２００の外側面に備えることもできる。また、前記の速度調整スイッチ２０４のように使用頻度が少ない構成要素はハウジング１００に備えることもできる。
【０１４６】
また、前記のマウス本体２００がステッキ形象で形成される場合にも、前記の感知手段３１０は別途の突出バー３３０の外側面に結合されることができて（図３０ないし図３２参照）、収容溝３２０の内壁に結合されることもできる（図３３ないし図３４参照）。
【０１４７】
以上、本発明を好ましい実施例を使って詳しく説明したが、本発明の範囲は特定の実施例に限定されるのではなくて、添付された特許請求範囲によって解釈されなければならない。また、この技術分野で通常の知識を習得した者なら、本発明の範囲から脱しないながらも多くの修正と変形ができるのを理解しなければならない。
【産業上利用可能性】
【０１４８】
前述したところのように本発明によるマウスは、マウスを移動させないながらもポインターを移動させることができてポインターの移動のためのマウスの移動空間が要しなくて使用が便利であり、マウスの移動が必要なくて使用者の手首の疲れ度を減少させて痛症を防止することができる効果を提供する。
【０１４９】
また、マウス装置をおく空間だけ確保されれば使用者はモニターのポインターを自由に移動させることができる。すなわち、マウス装置を移動させる空間を要しないのでマウス装置の使用環境を改善することができる利点がある。
【０１５０】
また、キーボードに固定型キーボードを附着して使うことによってマウスをキーボードの近接側に位置させるようにする人体工学的な設計によって作業者の作業動線が減るようになって便宜性が大きくなるようになって作業効率が格段に増大される非常に好ましい効果を期待することができる。
【０１５１】
本発明によるマウスは、マウス本体を大きく移動させないながらもポインターを遠くまで移動させることができる固定型で駆動されることができるし、通常のマウスのように移動型でも駆動されることができるので、使用環境及び使用条件によって便利に使われることができるという長所がある。
【０１５２】
また本発明によるマウスは、移動型で使われる時にマウス本体がハウジングから分離して移動されることができてマウス本体がハウジングと一体に移動されることもできるので、使用者の便宜によって多様に提供されることができるという長所がある。
【０１５３】
また本発明によるマウスは、使用者が手で握るマウス本体の部位を使用者が手で握りやすいように多様なデザインで製作することができるという長所がある。
【０１５４】
本発明によるマウスは、マウス本体を大きく移動させないながらもポインターを遠くまで移動させることができるし、使用者が手で握るマウス本体の部位を使用者が手で握りやすいように多様なデザインで製作することができるという長所がある。
【０１５５】
また本発明によるマウスは、使用者がマウス本体を移動させる力の大きさによってポインターの移動速度を加速または減速させることができるし、マウス本体を上下方向に長く製作する場合にジョイ・スティックでも使うことができるという長所もある。
【図１】
2010526387.tif 000003
【図２】
2010526387.tif 000004
【図３】
2010526387.tif 000005
【図４】
2010526387.tif 000006
【図５】
2010526387.tif 000007
【図６】
2010526387.tif 000008
【図７】
2010526387.tif 000009
【図８】
2010526387.tif 000010
【図９】
2010526387.tif 000011
【図１０】
2010526387.tif 000012
【図１１】
2010526387.tif 000013
【図１２】
2010526387.tif 000014
【図１３】
2010526387.tif 000015
【図１４】
2010526387.tif 000016
【図１５】
2010526387.tif 000017
【図１６】
2010526387.tif 000018
【図１７】
2010526387.tif 000019
【図１８】
2010526387.tif 000020
【図１９】
2010526387.tif 000021
【図２０】
2010526387.tif 000022
【図２１】
2010526387.tif 000023
【図２２】
2010526387.tif 000024
【図２３】
2010526387.tif 000025
【図２４】
2010526387.tif 000026
【図２５】
2010526387.tif 000027
【図２６】
2010526387.tif 000028
【図２７】
2010526387.tif 000029
【図２８】
2010526387.tif 000030
【図２９】
2010526387.tif 000031
【図３０】
2010526387.tif 000032
【図３１】
2010526387.tif 000033
【図３２】
2010526387.tif 000034
【図３３】
2010526387.tif 000035
【図３４】
2010526387.tif 000036
【図３５】
2010526387.tif 000037
【図３６】
2010526387.tif 000038
【図３７】
2010526387.tif 000039
【国際調査報告】
2010526387.tif 000040
2010526387.tif 000041